(57)【特許請求の範囲】
【請求項１】
デジタルオーディオインターフェースフォーマットで規定されるＡＥＳ（Audio Engineering Society）信号と、文字多重放送用の情報とを受け取り、前記ＡＥＳ信号の予備領域に前記文字多重放送用の情報を加工を実施することなく多重化する情報多重化処理手段と、
前記多重化されたＡＥＳ信号を送信する送信処理手段と、を備える音声デジタルＳＴＬ（Studio to Transmitter Link）装置。
【請求項２】
前記情報多重化処理手段は、前記予備領域に加え、音声データ領域の一部に前記文字多重放送用の情報を多重化することを特徴とする請求項１記載の音声デジタルＳＴＬ装置。
【請求項３】
前記情報多重化処理手段は、前記文字多重放送用の情報が前記ＡＥＳ信号のフレームの空き容量を超える場合、当該文字多重放送用の情報を分割し、次のフレームの空き容量に多重化する、請求項１又は２に記載の音声デジタルＳＴＬ装置。
【請求項４】
前記情報多重化処理手段は、前記予備領域の先頭を、前記文字多重放送用の情報を前記ＡＥＳ信号に挿入しているか否かを示すフラグとして用いる、請求項１又は２に記載の音声デジタルＳＴＬ装置。
【請求項５】
前記情報多重化処理手段は、前記ＡＥＳ信号のフレームに付加されるヘッダ情報に、前記文字多重放送用の情報を前記ＡＥＳ信号に挿入しているか否かを示すフラグを付加する、請求項１又は２に記載の音声デジタルＳＴＬ装置。
【請求項６】
音声デジタルＳＴＬ装置の、デジタルオーディオインターフェースフォーマットで規定されるＡＥＳ信号伝送方法であって、
前記ＡＥＳ信号と、文字多重放送用の情報とを受け取り、
前記ＡＥＳ信号の予備領域に前記文字多重放送用の情報を加工を実施することなく多重化し、
多重化されたＡＥＳ信号を送信するＡＥＳ信号伝送方法。
【発明の詳細な説明】
【技術分野】
【０００１】
本発明は、音声デジタルＳＴＬ（Studio to Transmitter Link）装置に関し、特に、ＡＥＳ（Audio Engineering Society）信号に文字多重放送用の情報を多重化して伝送する、シングルキャリア方式の音声デジタルＳＴＬ装置及びＡＥＳ信号伝送方法に関する。
【背景技術】
【０００２】
従来、音声アナログＳＴＬ装置では、アナログ音声信号をＦＭ変調して伝送していた。これに対して、音声デジタルＳＴＬ装置の場合、演奏所側から送信所側にデジタル音声信号を伝送した後に、当該デジタル音声信号をＦＭ変調する送信所変調になる。その際、デジタル音声信号でＦＭ変調器に受け渡しすることで、デジタル化された情報の利点である、本線の音源を損なうことなく受け渡しが可能になる。
加えて、従来の音声アナログＳＴＬ装置を用いる方式では、アナログ音声信号の伝送であったり、見えるラジオなどに利用される文字多重放送用の情報は、本線のチャンネルとは別の空きチャンネルを使用して伝送したり、ステレオ放送に用いる副搬送波の高域部分を使用して伝送していた。一方、音声デジタルＳＴＬ装置では、ＡＥＳ信号にフォーマットされたデジタル音声信号の伝送が可能になる。従って、音声デジタルＳＴＬ装置を用いる場合、デジタル化された文字多重放送用の情報を、本線を用いて伝送されるＡＥＳ信号に多重化して伝送できることが好ましい。
例えば、特許文献１には、映像・音声を転送する伝送路を用いて、データ放送等に用いられるデータ（ＴＳパケットのデータ）を伝送する技術が開示されている。この技術は、ＴＳパケットのデータをデータバースト化し、このデータバーストを、ノンオーディオモードでＡＥＳ／ＥＢＵ（European Broadcasting Union）フォーマットにおける複数のオーディオフレームの音声データ領域にマッピングする。これにより、ＴＳパケットのデータを伝送する伝送路を別途用意する必要がなくなる。
【０００３】
また、ＡＥＳ信号は、３２ビットのデジタルオーディオインターフェースフォーマットで規定されたデータ形式を用いる。このＡＥＳ音声信号のフォーマットを有効に活用する技術として、例えば、特許文献２の技術が開示されている。特許文献２では、ＡＥＳ音声信号から例えば３２ビット以上の纏まった単位で時間情報を取り出すことができるようにしている。
【先行技術文献】
【特許文献】
【０００４】
【特許文献１】特開２００６−２３８００６号公報
【特許文献２】特開２００８−２５７０５９号公報
【発明の概要】
【発明が解決しようとする課題】
【０００５】
しかしながら、特許文献１は、使用されていないＡＥＳ／ＥＢＵ領域にＴＳパケットをマッピングして、使用していない領域の有効活用を図るものである。従って、使用していない領域を検出する処理が必要となっていた。また、特許文献２は、ＡＥＳ音声信号のフォーマットを変更するものであり、送信側では、フォーマットを変換する処理が必要となっていた。特許文献１，２の技術では、このような処理を実施するため、音声デジタルＳＴＬ装置へ負荷かかっていた。
本発明は、シングルキャリア方式の音声デジタルＳＴＬ装置において、ＡＥＳ信号へ文字多重放送用の情報を簡易な手段により多重化することを可能にする装置及び方法を提供することを目的とする。
【課題を解決するための手段】
【０００６】
本発明に係る音声デジタルＳＴＬ装置の一態様は、情報多重化処理部と、送信処理部とから構成される。情報多重化処理部は、デジタルオーディオインターフェースフォーマットで規定されるＡＥＳ（Audio Engineering Society）信号と、文字多重放送用の情報とを受け取り、前記ＡＥＳ信号の予備領域に前記文字多重放送用の情報を多重化する。送信処理部は、多重化されたＡＥＳ信号を送信する。
【０００７】
また、本発明に係るＡＥＳ信号伝送方法の一態様は、音声デジタルＳＴＬ装置における、デジタルオーディオインターフェースフォーマットで規定されるＡＥＳ信号伝送方法であって、前記ＡＥＳ信号と、文字多重放送用の情報とを受け取り、前記ＡＥＳ信号の予備領域に前記文字多重放送用の情報を多重化し、多重化されたＡＥＳ信号を送信する。
【発明の効果】
【０００８】
本発明によれば、シングルキャリア方式の音声デジタルＳＴＬ装置において、ＡＥＳ信号へ文字多重放送用の情報を簡易な手段により多重化することが可能となる。
【図面の簡単な説明】
【０００９】
【図１】本発明に係る音声デジタルＳＴＬ装置の構成例を示すブロック図である。
【図２】情報多重化処理部の詳細を示すブロック図である。
【図３】ＡＥＳ信号に適用される３２ビットのデジタルオーディオインターフェースフォーマットを示す図である。
【発明を実施するための形態】
【００１０】
以下、本発明の実施形態について、図面を参照しながら説明する。説明の明確化のため、以下の記載及び図面は、適宜、省略、及び簡略化がなされている。各図面において同一の構成または機能を有する構成要素および相当部分には、同一の符号を付し、その説明は省略する。
【００１１】
本発明は、シングルキャリア方式のデジタル変調方式を用いた音声デジタルＳＴＬ装置の無線伝送システムにおいて、ＡＥＳ信号の伝送およびＡＥＳ信号内部に文字多重放送用の情報を多重化して伝送する方式を提案する。以下、図面を参照して実施形態を説明する。
【００１２】
実施形態１．
図１は、本発明に係る音声デジタルＳＴＬ装置の構成例を示すブロック図である。図１に示す通り本発明による音声デジタルＳＴＬ装置１は、送信部１００と受信部２００とを備える。送信部１００は、ＡＥＳ信号処理部１１、情報多重部１２、誤り訂正部１３、フレーミング１４、変調部１５、及び、送信変換部１６から構成される。受信部２００は、受信変換部２１、復調部２２、デフレーミング２３、誤り訂正部２４、及び、ＡＥＳ信号出力部２５から構成される。送信部１００において、ＡＥＳ信号処理部１１、及び、情報多重部１２を、ＡＥＳ信号へ文字多重放送用の情報を多重化する処理を実施する情報多重化処理部１０１と称することもある。また、誤り訂正部１３、フレーミング１４、変調部１５、及び、送信変換部１６を、多重化したＡＥＳ信号を処理して送信する送信処理部１０２と称することもある。
【００１３】
送信部１００では、情報多重化処理部１０１（ＡＥＳ信号処理部１１と情報多重部１２）によって、ＡＥＳ信号に文字多重放送用の情報を多重化する。
図２は、情報多重化処理部１０１の詳細を示すブロック図である。図２に示す通り、情報多重化処理部１０１の詳細な構成は、ＡＥＳ信号処理部１１、ＰＬＬ（Phase-locked loop）回路１７、及び、情報多重部１２からなる。
音声デジタルＳＴＬ装置１に入力されるＡＥＳ信号は、外部機器で生成されるため、非同期で入力される。そのため、ＡＥＳ信号処理部１１は、ＡＥＳ信号から外部クロックを再生する。そして、ＰＬＬ回路１７は、再生された外部クロックを基準に内部クロックを生成する。情報多重部１２及び送信処理部１０２の各構成要素は、生成された内部クロックに基づいて処理を実施する。
ＡＥＳ信号処理部１１は、ＡＥＳ信号を、情報多重部１２が処理可能なＡＥＳデータとして出力する。
情報多重部１２は、ＡＥＳデータに文字多重放送用の情報を多重化したＡＥＳデータを誤り訂正部１３へ出力する。
【００１４】
図３は、ＡＥＳ信号に適用される３２ビットのデジタルオーディオインターフェースフォーマットを示す図である。図３に示すようにＡＥＳ信号は、３２ビットのデジタルオーディオインターフェースフォーマットで規定されている。この内、音声データの領域の一部（音声データ領域は、最大２０ビット）と予備領域（最大４ビット）を利用して、文字多重放送用の情報を多重化する。例えば、図３にように、音声データを１６ビットとした場合、文字多重放送用の情報は最大８ビット伝送することができる。具体的には、例えば、音声データとして１６ビットの領域を使用する場合、４ビットは空き領域となる。従って、予備領域４ビット（領域Ａ１）と空き領域４ビット（領域Ａ２）とによって、８ビットの領域を使用することが可能となる。
【００１５】
文字多重放送用の情報をＡＥＳ信号に多重化する場合、情報多重部１２は、文字多重放送用の情報を圧縮等の加工を実施することなく、ＡＥＳデータの空き領域に多重化する。また、文字多重放送用の情報の大きさが、一つのフレームの空き領域を超える場合、情報多重部１２は、文字多重放送用の情報を分割して、次のフレームの空き領域に多重化する。
加えて、情報多重部１２は、予備領域の先頭の１ビットを、文字多重放送用の情報をＡＥＳ信号に挿入しているか否かを示すフラグとして用いてもよい。あるいは、複数のフレーム（伝送される単位）に付加されるヘッダ情報へ、文字多重放送用の情報を付加しているか否かを示すフラグを保持するようにしてもよい。
【００１６】
上述したようなフラグを設定することによって、受信側では、ＡＥＳ信号に文字多重放送用の情報が多重されているか否かを把握することが可能になる。例えば、受信部２００のＡＥＳ信号出力部２５は、フラグが文字多重放送用の情報を多重化していることを示している場合、ＡＥＳ信号から文字多重放送用の情報を抽出して送出するとともに、ＡＥＳ信号に文字多重用の情報が多重化されていた領域のビットをクリア（デフォルト値）に設定して、ＡＥＳ信号を送出することができる。
なお、図１に示した構成要素のうち、特に説明していない構成要素については、周知技術と同様の機能を実施するものであるため、説明を省略している。
【００１７】
本実施形態によれば、次の有利な効果を奏することができる。
音声アナログＳＴＬ装置では、アナログ音声信号の伝送であり、見えるラジオなどに利用される文字多重放送用の情報は、本線のチャンネルとは別の空きチャンネルを使用して伝送したり、ステレオ放送に用いる副搬送波の高域部分を使用して伝送していた。これに対して、本実施形態の音声デジタルＳＴＬ装置では、ＡＥＳ信号にファーマットされたデジタル音声を伝送するとともに、ＡＥＳ信号のフォーマットのデータ部分（予備領域及び音声データ領域）の自由度を利用して、文字多重放送用の情報を当該データ部分へ多重化して伝送することが可能である。これにより、ＡＥＳ信号を伝送する本線を用いて文字多重放送用の情報を伝送することができるため、本線と別の回線を用意する必要がなくなる。
【００１８】
加えて、文字多重放送用の情報として、非圧縮でデジタル変調方式を用いるため、演奏所側の音声デジタルＳＴＬ装置では、受信したＡＥＳ信号および文字多重放送用の情報を加工したりすることなく、オリジナルの状態で次段のＦＭ変調器へ渡すことができる。具体的には、文字多重放送用の情報を、アナログ／デジタル変換や圧縮等の加工を必要とせず、受信した文字多重放送用の情報をそのまま後続の処理に受け渡すことが可能になる。その結果、デジタル化された情報の利点である、音源を損なうことなく受け渡しをすることができる。
上述したような有利な効果を奏するため、本実施形態の音声デジタルＳＴＬ装置及びＡＥＳ信号伝送方法ででは、非圧縮でデジタル音声信号を伝送することと、見えるラジオなどに利用される文字多重放送用の情報を伝送することとを、本線以外の部分もしくは別回線を使用することなく、受信側の装置へ提供することが可能になる。
【００１９】
その他の実施形態．
実施形態１では、ＡＥＳ信号の予備領域と音声データの一部領域とに文字多重放送用の情報を多重化することを説明したが、ＡＥＳ信号の予備領域と音声データの一部領域とのいずれか一方にのみ文字多重放送用の情報を多重化する場合であってもよい。また、本発明の音声デジタルＳＴＬ装置は、上述したデータ領域を利用することに限定されるものではなく、利用していない（空いている）領域であって、文字多重放送用の情報を圧縮することなく多重化できる領域であれば、他の領域を利用してもよい。
【００２０】
なお、本発明は上記に示す実施形態に限定されるものではない。本発明の範囲において、上記実施形態の各要素を、当業者であれば容易に考えうる内容に変更、追加、変換することが可能である。
【符号の説明】
【００２１】
１  音声デジタルＳＴＬ装置
１１  ＡＥＳ信号処理部
１２  情報多重部
１３  誤り訂正部
１４  フレーミング
１５  変調部
１６  送信変換部
１７  ＰＰＬ回路
２１  受信変換部
２２  復調部
２３  デフレーミング
２４  誤り訂正部
２５  ＡＥＳ信号出力部
１００  送信部
１０１  情報多重化処理部
１０２  送信処理部
２００  受信部
【図１】
0005834501.tif 000002
【図２】
0005834501.tif 000003
【図３】
0005834501.tif 000004